(57)【要約】      （修正有）【課題】着用時において第一指部に親指の腹部を全体的にフィットさせる。【解決手段】重なり合った二枚の軟質シート材料を熱シールして形成される手袋であって、親指１０が挿入される第一指部１と、人差し指２０が挿入される第二指部２と、中指３０が挿入される第三指部３と、薬指４０が挿入される第四指部４と、小指５０が挿入される第五指部５と、を備え、前記第一指部は、その指先側に向かって前記第三指部の中心線から徐々に離れる曲線状の中心線と、前記親指の腹部と対向する指先側に向かって先細り形状の曲線溶着部を有する。【選択図】図１
2017115252.tif 000002
【特許請求の範囲】
【請求項１】
重なり合った二枚の軟質シート材料を熱シールして形成される手袋であって、
親指が挿入される第一指部と、人差し指が挿入される第二指部と、中指が挿入される第三指部と、薬指が挿入される第四指部と、小指が挿入される第五指部と、を備え、
前記第一指部は、その指先側に向かって前記第三指部の中心線から徐々に離れる曲線状の中心線と、前記親指の腹部と対向する指先側に向かって先細り形状の曲線溶着部を有することを特徴とする手袋。
【請求項２】
前記第二指部，前記第三指部，前記第四指部又は前記第五指部のいずれか若しくは全部は、それぞれに挿入される各指の基節から中節に至る部分と対向する部位が外側へ筒状に膨らむ膨出部を有することを特徴とする請求項１記載の手袋。
【請求項３】
前記第二指部，前記第三指部，前記第四指部又は前記第五指部のいずれか若しくは全部は、それぞれに挿入される各指の第一関節と対向する部位よりも指先側に、前記膨出部よりも細い絞り部を有することを特徴とする請求項２記載の手袋。
【発明の詳細な説明】
【技術分野】
【０００１】
本発明は、使い捨て手袋として利用可能な手袋に関する。
【背景技術】
【０００２】
従来、この種の手袋として、１組の軟質シート材料（プラスチックフィルム）を重ね合わせ、熱シールによって互いにつなげた使い捨て手袋がある（例えば、特許文献１参照）。
この使い捨て手袋は、手袋の平らな状態において、親指を除く４本の指の部分の少なくとも１本の幅が、手のひらの部分に隣接している指のつけ根の幅から中間の位置で最大の大きさへ広がり、親指の部分と中指の部分を、それぞれの縦軸の間の角度が４０°〜６０°となるように広げることで、はめ具合を改良している。
また、この種の手袋は、使用者の手が差し込まれない未着用時（未装着時）では、１組の軟質シート材料が平らに重なり合った状態であり、着用時（装着時）には使用者の手が差し込まれることで、各指の部分などが膨らんで立体的に変形する。このため、各指部や手の甲などが通常の作業手袋よりも大きめに設定され、手を差し込んだ際に適度な弛み(余裕)を生じるように構成されている。
【先行技術文献】
【特許文献】
【０００３】
【特許文献１】特開昭６３−３０３１０４号公報
【発明の概要】
【発明が解決しようとする課題】
【０００４】
しかし乍ら、このような従来の手袋では、親指部分の縦軸（中心軸）が直線状に形成されるため、着用時の立体変形状態において直線筒状の親指部分が親指の反り形状と合わないと同時に、直線筒状の親指部分に対して親指の腹部が僅かな部位しか密着しなかった。
これにより、着用時において直線筒状の親指部分と親指の腹部との間に緩みが生じ、親指部分に対して親指の腹部が全体的にフィットしなかった。
その結果として、手袋の着用状態で物を摘むような動作を行うと、直線筒状の親指部分に対し親指の腹部が位置ズレして、動作中に物がズレ落ちたり、手袋が外れたりするという問題があった。
特に、滑り易い洗剤を使った食器洗いなどでは、食器を確実に持って洗浄できず、作業者が注意を怠ると食器が滑り落ちるおそれがあって不安を感じるという問題があった。
【課題を解決するための手段】
【０００５】
このような課題を達成するために、本発明に係る手袋は、以下の独立請求項に係る構成を少なくとも具備するものである。
［請求項１］  重なり合った二枚の軟質シート材料を熱シールして形成される手袋であって、
親指が挿入される第一指部と、人差し指が挿入される第二指部と、中指が挿入される第三指部と、薬指が挿入される第四指部と、小指が挿入される第五指部と、を備え、
前記第一指部は、その指先側に向かって前記第三指部の中心線から徐々に離れる曲線状の中心線と、前記親指の腹部と対向する指先側に向かって先細り形状の曲線溶着部を有することを特徴とする手袋。
【図面の簡単な説明】
【０００６】
【図１】本発明の実施形態に係る手袋の全体構成を示す説明図であり、手の平側から見た未着用時の正面図である。
【図２】手の甲側から見た未着用時の背面図である。
【図３】着用時の指先側から見た外観図である。
【発明を実施するための形態】
【０００７】
以下、本発明の実施形態を図面に基づいて詳細に説明する。
本発明の実施形態に係る手袋Ａは、図１〜図３に示すように、重なり合った二枚の軟質シート材料Ａ１，Ａ２を手形状に熱シールして形成される、使い捨て手袋としても利用可能なものである。これにより、裏と表の違いがなく、二つ用意することで左右一対の手袋として使用される。
すなわち、手袋Ａは、使用者の手Ｂが差し込まれない未着用時（未装着時）では、図１及び図２に示されるように、軟質シート材料Ａ１，Ａ２の全体が平らに重なり合った状態でなっている。手Ｂが差し込んだ着用時（装着時）には、図３に示されるように、手Ｂの挿入に伴って各指の部分などが膨らんで立体的に変形する。
詳しく説明すると、本発明の実施形態に係る手袋Ａは、各指の部分として、親指１０が挿入される第一指部１と、人差し指２０が挿入される第二指部２と、中指３０が挿入される第三指部３と、薬指４０が挿入される第四指部４と、小指５０が挿入される第五指部５と、を主要な構成要素として備えている。
【０００８】
軟質シート材料Ａ１，Ａ２としては、熱溶着性を有する合成樹脂製フィルムを用いることが好ましい。
軟質シート材料Ａ１，Ａ２に用いられる合成樹脂製フィルムの具体例としては、ポリエチレン（高密度ポリエチレン、低密度ポリエチレン、直鎖状低密度ポリエチレン、直鎖状超低密度ポリエチレン）、エチレン系熱可塑性エラストマー、エチレン−ビニルアセテート共重合体、エチレン−メチルメタクリレート共重合体、エチレン−スチレン共重合体、エチレン系アイオノマー、エチレン−ビニルアルコール共重合体などのようなポリオレフィン、ポリプロピレン（アイソタクチックホモポリプロピレン、シンジオタクチックホモポリプロピレン、ランダムポリプロピレン、ブロックポリプロピレン）にスチレン系熱可塑性エラストマー、オレフィン系熱可塑性エラストマーなどの熱可塑性エラストマーを添加したもの、熱可塑性ポリウレタンやアクリロニトリルやメチルメタクリレートとの共重合体を含むポリスチレンに、スチレン系熱可塑性エラストマー、ニトリル系熱可塑性エラストマーなどの熱可塑性エラストマーを添加したもの、軟質ポリ塩化ビニルなどの柔軟な熱可塑性樹脂が挙げられる。
この中でも、低密度ポリエチレンや高密度ポリエチレンなどのポリエチレンを用いることが好ましい。これに対してゴムのような柔軟でも熱硬化性のものは加工性が悪く使用できない。
軟質シート材料Ａ１，Ａ２に用いられる合成樹脂製フィルムの厚みとして、２０μ以下の薄いポリエチレン樹脂製フィルムを用いた場合には、着用状態で物を摘むような大きな動作すると、手Ｂの甲側に配置される軟質シート材料Ａ１自体が伸びる。このため、引っ張り感が緩和されるものの、強度が低くて耐久性に劣るおそれがある。２０μ〜５０μのポリエチレン樹脂製フィルムを用いた場合には、強度が向上して耐久性に優れるため好ましい。特に２０μ〜３０μのポリエチレン樹脂製フィルムが使用感に優れる。
【０００９】
軟質シート材料Ａ１，Ａ２の熱シール方法としては、重なり合わされた二枚の軟質シート材料Ａ１，Ａ２を加熱された切断型（図示しない）により手形状の裁断と熱溶着を同時に行う方法がある。また、その他には、予め手形状に裁断された二枚の軟質シート材料Ａ１，Ａ２を重ね合わせて熱溶着する方法もある。
切断型による手袋Ａの製造方法は、帯状の軟質シート材料Ａ１，Ａ２を重ね合わせた状態で間欠的に送り出し、手袋Ａの幅寸法よりも若干長く送り出される毎に、加熱した切断型を軟質シート材料Ａ１，Ａ２に対して押圧する。これにより、軟質シート材料Ａ１，Ａ２が所定の手形状に溶着されると同時に打ち抜かれて、一つの手袋Ａが作成される。
作成された手袋Ａの外周縁には、手Ｂが差し込まれる挿入口Ａ３を除いて熱シール部Ａ４が形成される。
【００１０】
そして、手袋Ａの第一指部１，第二指部２，第三指部３，第四指部４及び第五指部５は、それぞれの中心線１ａ，２ａ，３ａ，４ａ，５ａが各指先側へ向かって徐々に拡開するように形成され、指先の熱シール部Ａ４をそれぞれ円弧状に形成している。
第一指部１は、その指先側に向かって第二指部２や第三指部３などから徐々に離れる曲線状の中心線１ａと、親指１０の腹部１１と対向する指先側に向かって先細り形状となる曲線溶着部１ｂを有している。
第一指部１の中心線１ａは、親指１０の第三関節（ＭＰ関節）１２から第二関節（ＩＰ関節）１３に至る基節１４と対向する部位が直線状に形成される。中心線１ａにおいて第二関節１３から指先に至る末節１５と対向する部位は、第二指部２の中心線２ａや第三指部３の中心線３ａから徐々に離れる曲線状に形成されている。
曲線溶着部１ｂは、熱シール部Ａ４において親指１０の内側となる腹部１１と対向する部位であり、第二関節１３から指先に至る末節１５と対向する部位が、腹部１１の外形状に沿って先細りの曲線形状に形成されている。
【００１１】
第一指部１を除く第二指部２，第三指部３，第四指部４又は第五指部５のいずれか、若しくは又は第二指部２，第三指部３，第四指部４及び第五指部５の全部は、それぞれに挿入される各指の基節から中節に至る部分と対向する部位が外側へ筒状に膨らむ膨出部６を有することが好ましい。
膨出部６は、第二指部２や第三指部３や第四指部４や第五指部５において、各指の基節から中節に至る部分と対向する部位のみを、それぞれの指先側よりも約５〜１５％膨らませるように構成される。これにより、各指の第三関節が含まれる基節から第一関節（ＤＩＰ関節）が含まれる中節に至る部分と、膨出部６との間に空間Ｓを形成している。
【００１２】
膨出部６の具体例として図１〜図３に示される例の場合には、第二指部２において人差し指２０の基節２１から第二関節（ＰＩＰ関節）２２を挟んで第二関節中節２３に至る部分と対向する部位に膨出部６２が形成されている。図示例では、第二指部２の膨出部６２として、第二指部２の第一指部１側のみを膨らませている。これにより、人差し指２０の第三関節２４から第一関節２５までと膨出部６の間に空間Ｓが形成されている。
第三指部３において中指３０の基節３１から第二関節３２を挟んで中節３３に至る部分と対向する部位に膨出部６３を形成している。これにより、中指３０の第三関節３４から第一関節３５までと膨出部６の間に空間Ｓが形成されている。
第四指部４において薬指４０の基節４１から第二関節４２を挟んで中節４３に至る部分と対向する部位に膨出部６４を形成している。これにより、薬指４０の第三関節４４から第一関節４５までと膨出部６の間に空間Ｓが形成されている。
また、その他の例として図示しないが、第二指部２の膨出部６２をそれ以外の膨出部６３，６４と同様に中心線２ａを中心とした対称形状に形成する変更することも可能である。
【００１３】
さらに、第二指部２，第三指部３，第四指部４又は第五指部５のいずれか、若しくは又は第二指部２，第三指部３，第四指部４及び第五指部５の全部は、それぞれに挿入される各指の第一関節と対向する部位よりも指先側に、膨出部６よりも小径な絞り部７を有することが好ましい。
絞り部７の具体例として図１〜図３に示される例の場合には、第二指部２において人差し指２０の第一関節２５よりも指先側の末節２６と対向する部位に絞り部７２を形成している。
第三指部３において中指３０の第一関節３５よりも指先側の末節３６と対向する部位に絞り部７３を形成している。
第四指部４において薬指４０の第一関節４５よりも指先側の末節４６と対向する部位に絞り部７４を形成している。
【００１４】
一方、図１及び図２では、手Ｂの差し込み前で平らな未着用時の手袋Ａを示している。しかし、二点鎖線で示される使用者の手Ｂは立体形状の外観図である。このため、第一指部１と親指１０の間、第二指部２と人差し指２０の間、第三指部３の中指３０の間、第四指部４の薬指４０の間、第五指部５と小指５０の間には、それぞれ隙間が存在するように見える。
これに対し、図３では、手Ｂが差し込み後の着用時の手袋Ａを示し、手Ｂの挿入により各指の部分などが膨らんで立体的に変形するため、前記の隙間が小さくなる。
これによって、第一指部１の内周面に親指１０の外周面が接触し、第二指部２の内周面に人差し指２０の外周面が接触し、第三指部３の内周面に中指３０の外周面が接触し、第四指部４の内周面に薬指４０の外周面が接触し、第五指部５の内周面に小指５０の外周面が接触する。
【００１５】
このような本発明の実施形態に係る手袋Ａによると、使用者の手Ｂが差し込まれて、第一指部１に親指１０を挿入することにより、第一指部１が膨らんで立体的に変形する。
この立体変形状態では、第一指部１の曲線状中心線３ａと親指１０の反り形状が全体的に合致し、指先側へ先細り形状の曲線溶着部１ｂに沿って親指１０の腹部１１が全体的に密接する。
さらに、物を摘むような動作時には、親指１０の腹部１１を曲線溶着部１ｂが通って凸状となるため、物との間に生じる摩擦力が大きくなって滑り難くなる。
したがって、着用時において第一指部１に親指１０の腹部１１を全体的にフィットさせることができる。
その結果、親指部分の中心軸が直線状の筒状に形成される従来のものに比べ、手袋Ａの着用状態で物を摘むような動作を行っても、第一指部１の曲線溶着部１ｂと親指１０の腹部１１が位置ズレせず、動作中における物のズレ落ちや手袋Ａの外れなどを防止できる。
特に、滑り易い洗剤を使った食器洗いなどでも食器が滑り落ちることを防止でき、洗剤などを使った滑り易い作業における安全性の向上が図れる。
【００１６】
さらに、第二指部２，第三指部３，第四指部４又は第五指部５のいずれか若しくは全部は、それぞれに挿入される各指の基節から中節に至る部分と対向する部位が外側へ筒状に膨らむ膨出部６を有することが好ましい。
このような場合には、手Ｂの差し込みで人差し指２０や中指３０や薬指４０や小指５０を挿入することにより、各指の第三関節を含む基節から第一関節を含む中節に至る部分と膨出部６の間に空間Ｓが形成される。
これにより、各指の第三関節から第一関節までを、手Ｂの甲側の軟質シート材料Ａ２が突っ張ることなく折り曲げ可能になる。
したがって、各指（人差し指２０や中指３０や薬指４０や小指５０）を抵抗なくスムーズに動かすことができる。
その結果、手袋Ａの着用状態で物を摘むような動作が行い易くなり、使い勝手がよくなる。
【００１７】
また、第二指部２，第三指部３，第四指部４又は第五指部５のいずれか若しくは全部は、それぞれに挿入される各指の第一関節と対向する部位よりも指先側に、膨出部６よりも細い絞り部７を有することが好ましい。
このような場合には、手Ｂの差し込みで人差し指２０や中指３０や薬指４０や小指５０を挿入することにより、各指の第一関節よりも指先側の末節が絞り部７に沿って密接する。
したがって、着用時において第二指部２や第三指部３や第四指部４や第五指部５の絞り部７に各指の指先をフィットさせることができる。
その結果、第二指部２や第三指部３や第四指部４や第五指部５の絞り部７と、人差し指２０や中指３０や薬指４０や小指５０の指先とが位置ズレせず、動作中における物のズレ落ちや手袋Ａの外れなどを防止できる。
【００１８】
なお、前示の実施形態において図示例では、第二指部２，第三指部３及び第四指部４に膨出部６と絞り部７を形成しているが、これに限定されず、第五指部５に膨出部と絞り部を形成しててもよい。
すなわち、第五指部５において小指５０の基節５１から第二関節５２を挟んで中節５３に至る部分と対向する部位に膨出部を形成することにより、小指５０の第三関節５４から第一関節５５までとの間に空間が形成されるように変更することも可能である。
さらに、第五指部５において小指５０の第一関節５５よりも指先側の末節５６と対向する部位に絞り部を形成することも可能である。
【符号の説明】
【００１９】
Ａ  手袋                              Ａ１，Ａ２  軟質シート材料
１  第一指部                          １ａ  中心線
１ｂ  曲線溶着部                      ２  第二指部
３  第三指部                          ３ａ  中心線
４  第四指部                          ５  第五指部
６  膨出部                            ７  絞り部
１０  親指                            １１  腹部
２０  人差し指                        ２１  基節
２３  中節                            ２５  第一関節
３０  中指                            ３１  基節
３３  中節                            ３５  第一関節
４０  薬指                            ４１  基節
４３  中節                            ４５  第一関節
５０  小指
【図１】
2017115252.tif 000003
【図２】
2017115252.tif 000004
【図３】
2017115252.tif 000005